(57)【要約】【課題】雄コネクタ群を形成する１つの雄コネクタに座屈が発生したら、その雄コネクタには雌コネクタを挿入させない機能を備えるコネクタを提供する。【解決手段】雄コネクタ１０の筐体１２の内部に、雄コネクタのピン１３を挿通して筐体の底面側に移動可能なガイド板２０を設け、このガイド板２０は筐体の底面からバネ１１で付勢して常時は雄コネクタ１０の雌コネクタ挿入口１４に位置させて、雌コネクタ４の挿抜に応じて筐体内を往復動させ、雌コネクタ挿入口１４の近傍には、ガイド板２０が雌コネクタ挿入口１４に位置する時に雌コネクタの挿入を許し、雌コネクタ４が雄コネクタ１０から抜去された状態でガイド板２０が雌コネクタ挿入口１４に戻らない時に雌コネクタの再挿入を阻止するストッパ３０を設け、雄コネクタ１０において、雌コネク４タの接続時にピンの座屈が発生した場合は、雌コネクタ４の再挿入を防ぐようにした。【選択図】図６
2017228494.tif 000002
【特許請求の範囲】
【請求項１】
雄コネクタの筐体の内部を、前記雄コネクタに挿抜される雌コネクタの動作に合わせて往復動可能なガイド板と、
前記ガイド板を前記筐体の底面側から付勢し、前記雌コネクタの非挿入状態で前記ガイド板を前記筐体の雌コネクタ挿入口に位置させる弾性部材と、
前記雌コネクタ挿入口の近傍に設けられ、前記ガイド板が前記雌コネクタ挿入口に位置する時に前記雌コネクタ挿入口の脇に位置し、前記雌コネクタが前記雄コネクタから抜去された状態で前記ガイド板が前記雌コネクタ挿入口に戻らない時に前記雌コネクタ挿入口に入り込むストッパを備えるコネクタ。
【請求項２】
前記雄コネクタの前記筐体内には複数のピンが突設されており、前記ガイド板には、前記ピンを挿通する孔が設けられており、
前記ガイド板は、前記雌コネクタの結合時に、前記筐体の底面側に移動することを特徴とする請求項１に記載のコネクタ。
【請求項３】
前記ストッパは、前記雌コネクタが前記雄コネクタから抜去された時に、前記弾性部材によって前記雌コネクタ挿入口に戻る前記ガイド板によって、前記雌コネクタ挿入口の外側の位置まで移動することを特徴とする請求項１または２に記載のコネクタ。
【請求項４】
前記ストッパは、前記筐体への取付基部が可撓性を備える部材で形成されており、自由端部は前記雌コネクタ挿入口側に突出する係止突起を備えており、
前記ガイド板の、前記筐体の底面に対して反対側の面には係止解除部材が突設されており、
前記ガイド板は、前記筐体の底面側から前記雌コネクタ挿入口側に移動する際に、前記係止解除部材が前記係止突起を前記雌コネクタ挿入口の外側に押し出すことを特徴とする請求項３に記載のコネクタ。
【請求項５】
前記係止解除部材は、前記ガイド板の縁部に設けられた環状壁であることを特徴とする請求項４に記載のコネクタ。
【請求項６】
雄コネクタの筐体の内部を、前記雄コネクタに挿抜される雌コネクタの動作に合わせて往復動可能な第１のガイド板及び第２のガイド板と、
前記筐体の底面側に位置する前記第１のガイド板を、前記筐体の底面側から付勢する第１の弾性部材と、
前記第１のガイド板と前記第２のガイド板の間を大きくする方向に付勢し、前記雌コネクタの非挿入状態で前記第２のガイド板を前記筐体の雌コネクタ挿入口に位置させる第２の弾性部材と、
前記雌コネクタ挿入口の近傍に設けられ、前記第２のガイド板が前記雌コネクタ挿入口に位置する時に前記雌コネクタ挿入口の脇に位置し、前記雌コネクタが前記雄コネクタから抜去された状態で前記第２のガイド板が前記雌コネクタ挿入口に戻らない時に、前記雌コネクタ挿入口内に入り込むストッパを備えるコネクタ。
【発明の詳細な説明】
【技術分野】
【０００１】
本出願はコネクタに関する。
【背景技術】
【０００２】
従来、サーバ装置には複数のＣＰＵが搭載されたマザーボードがあり、マザーボードには複数のコネクタを備えるバックワイヤリングボード（以後、ＢＷＢと記す）が接続される。図１（ａ）は、ＢＷＢに搭載される複数のコネクタ１が集合したコネクタアッセンブリ１Ａを示しており、コネクタアッセンブリ１Ａを形成する１つのコネクタ１が取り出して拡大して示してある。１つのコネクタ１の寸法は、例えば横幅が２４．４ｍｍ、高さが１５．５ｍｍ程度であり、ＢＷＢには、例えば２０段に渡ってコネクタ１が積み重ねられたコネクタアッセンブリ１Ａがある。また、ＢＷＢに搭載されるコネクタ１は雄コネクタであり、各コネクタ１の筐体２の内部にはそれぞれ多数のピン３が設けられている。そして近年、ＢＷＢボードにあるコネクタ１のピン３が近年高密度になり、ピン３自体も薄くなってきている。
【０００３】
このため、コネクタ１に挿入する雌コネクタを備えた電子ユニット（例えばカード状のユニットで、以後、カードと記す）のコネクタ１に対する挿抜時に、コネクタ１にあるピン３が折れ曲がる座屈が多発している。図１（ｂ）はコネクタ１にカード５を挿入した時に、雌コネクタ４の雄コネクタ１との結合に不具合が生じ、雄コネクタ１のピン３に座屈が発生した状況を示すものである。コネクタ１のピン３が図１（ｂ）に示すように座屈すると、座屈は外部からの目視が困難であるため、座屈の発見が遅れ、気づかないまま座屈したコネクタ１に新しいカード５を挿入すると、どんどん座屈が伝染するといった事象が発生する。
【０００４】
そして、一旦、コネクタ１のピン３に座屈が発見されると、いつの時点で座屈が発生したかを特定するのが困難である。このため、座屈が発生したサーバ装置のシェルフに挿入実績のあるカード５の全て、更には、そのカード５を挿入した実績のあるシェルフのすべてをチェックしなければならないため、影響が広範囲に渡る。
【０００５】
すなわち、一旦座屈した雄コネクタ１に、新しいカード（雌コネクタ４）を挿入した場合、座屈したピン３がカード５の雌コネクタ４を破損させてしまうおそれがある。また、雌コネクタ４が破損したカード５を他の正常なＢＷＢのコネクタ１に挿入すると、正常な雄コネクタ１を破損させてしまう。このように、雄コネクタ１の座屈の発見が遅れると、他のコネクタへの座屈の伝染が発生する。座屈を極力少なくするための提案は既にいくつかあるが、高密度化したコネクタでは、座屈を１００％防ぐのは難しくなっている。このため、一旦座屈したコネクタには二度とカードを挿入できないような仕組みを備えるコネクタの提供が望まれている。
【０００６】
なお、座屈が発生する主な原因には以下のものがある。
（１）カード側の雌コネクタが、雄コネクタに対して平行に挿抜できなかった場合
（２）カード側の雌コネクタにあるピン挿入穴が打痕等でつぶれている場合
【先行技術文献】
【特許文献】
【０００７】
【特許文献１】特開平５−２５１１３８号公報
【０００８】
【特許文献２】国際公開第２００９／１２２５１７号
【０００９】
【特許文献３】特開平５−４７４４０号公報
【発明の概要】
【発明が解決しようとする課題】
【００１０】
１つの側面では、上述の問題に鑑み、コネクタに座屈が発生したら、修理又は交換が行われるまでは、二度とコネクタを挿入することができないコネクタを提供することを目的とする。
【課題を解決するための手段】
【００１１】
１つの形態によれば、雄コネクタの筐体の内部を、雄コネクタに挿抜される雌コネクタの動作に合わせて往復動可能なガイド板と、ガイド板を筐体の底面側から付勢し、雌コネクタの非挿入状態でガイド板を筐体の雌コネクタ挿入口に位置させる弾性部材と、雌コネクタ挿入口の近傍に設けられ、ガイド板が雌コネクタ挿入口に位置する時に雌コネクタ挿入口の脇に位置し、雌コネクタが雄コネクタから抜去された状態でガイド板が雌コネクタ挿入口に戻らない時に雌コネクタ挿入口に入り込むストッパを備えるコネクタが提供される。
【発明の効果】
【００１２】
開示のコネクタには、雄コネクタに雌コネクタを結合する際に雄コネクタのピンに座屈が発生したら、座屈が発生した雄コネクタには雌コネクタを挿入することができなくなるので、コネクタ故障の拡大を抑制することができるという効果がある。
【図面の簡単な説明】
【００１３】
【図１】（ａ）はＢＷＢコネクタの実際のサイズを示す説明図、（ｂ）はＢＷＢコネクタにおける問題点を示す断面図である。
【図２】第１の実施例のコネクタの分解斜視図である。
【図３】（ａ）は図２に示したコネクタを組み立てた状態を示す斜視図、（ｂ）は（ａ）の縦断面図である。
【図４】開示のコネクタにおけるストッパの設置位置の別の実施例を示す透視斜視図である。
【図５】開示のコネクタの通常時の動作を示すものであり、（ａ）はコネクタにカードを挿入する状態の断面図、（ｂ）はコネクタにカードが装着された状態の断面図、（ｃ）はコネクタからカードが抜去される時のコネクタの状態を示す断面図である。
【図６】開示のコネクタの異常時の動作を示すものであり、（ａ）はコネクタにカードを挿入する状態の断面図、（ｂ）はコネクタにカードが装着された状態の断面図、（ｃ）はコネクタからカードが抜去される時のコネクタの状態を示す断面図である。
【図７】（ａ）は別の実施例のストッパを備えるコネクタの断面図、（ｂ）は（ａ）の要部の部分拡大図である。
【図８】（ａ）は更に別の実施例のストッパを備えるコネクタの断面図、（ｂ）は（ａ）の要部の部分拡大図、（ｃ）はコネクタにカードが装着された時の（ｂ）に示したストッパの動作を示す部分拡大図、（ｄ）は（ｂ）に示したストッパの内部構造を透視して示す透視図、（ｅ）はコネクタの異常時の（ｂ）に示したストッパの動作を示す部分拡大図である。
【図９】（ａ）は第２の実施例のコネクタの断面図、（ｂ）は（ａ）に示したコネクタの斜視図、（ｃ）は（ａ）に示したコネクタにカードが挿入された状態の部分断面図、（ｄ）は第２のガイド板の先端側で座屈が発生した時のコネクタの動作を示す（ｃ）に示した部分と同じ部分の部分断面図である。
【図１０】第１及び第２の実施例のコネクタに装着するカードの別の例を示す透視断面図である。
【発明を実施するための形態】
【００１４】
以下、添付図面を用いて本出願の実施の形態を、具体的な実施例に基づいて詳細に説明する。
【００１５】
図２は、開示のコネクタの第１の実施例を示す分解斜視図である。開示のコネクタは雄コネクタ１０であり、筐体１２の内部には複数のピン１３が突設されている。第１の実施例の雄コネクタ１０は、筐体１２とピン１３の他に、弾性部材としてのバネ１１、ガイド板２０及びストッパ３０を備える。ピン１３の先端部側が雄コネクタ１０における雌コネクタ挿入口１４になっている。ピン１３の先端部は雌コネクタ挿入口１４からは突出しない。
【００１６】
ガイド板２０には、筐体１２の内部に突設されたピン１３に対応する同数のピン挿通孔２３が設けられており、バネ１１が無い状態でガイド板２０のピン挿通孔２３にピン１３を挿通させると、ガイド板２０は筐体１２の底面まで移動させることができる。一方、筐体１２の四隅とピン１３との間には空間があり、この空間の点線で示す位置に、４つのバネ１１が挿入され、その後にガイド板２０が、ピン挿通孔２３にピン１３を挿通させた状態で取り付けられる。
【００１７】
ガイド板２０の四辺には側壁２２が突設されている。側壁２２の外寸は、雄コネクタ１０の筐体１２の内寸よりも小さく、側壁２２の内寸は、雄コネクタ１０に結合される後述する雌コネクタの外寸よりも大きい。バネ１１の一端は雄コネクタ１０の筐体１２の底面に取り付けられ、他端はガイド板２０の四隅に取り付けられる。バネ１１が伸び切った状態で、ガイド板２０は、筐体１２の雌コネクタ挿入口１４の位置にあり、ピン挿通孔２３の中に、ピン１３の先端部が挿入されている。ピン１３の先端部は、ピン挿通孔２３から突出していても良い。後述する雌コネクタは、ガイド板２０の側壁２２の内部に挿入されて雄コネクタ１０に接続されるが、このとき、ガイド板２０を筐体１２の底面側に押しながら雄コネクタ１０に接続される。一方、接合されていた雌コネクタが雄コネクタ１０から抜去されると、ガイド板２０はバネ１１の復元力により、雌コネクタ挿入口１４の位置まで戻る。
【００１８】
第１の実施例では、雄コネクタ１０の筐体１２の短い方の外周面に、ストッパ３０が取り付けられる。本実施例のストッパ３０は、筐体１２への取付基部３１と、取付基部３１の自由端部に突設された係止突起３２を備える。ストッパ３０の取付基部３１は可撓性を備える部材で形成されており、雄コネクタ１０の筐体１２の破線で示す取付位置に取り付けられる。ストッパ３０を形成する部材としては、例えば、金属やプラスチック等の柔軟性と復元性を備えるものが使用できる。
【００１９】
なお、ストッパ３０の取付基部３１は、×で示す筐体１２の底面側だけが固定され、筐体１２の雌コネクタ挿入口１４側は、筐体１２に対して湾曲できるようになっている。ストッパ３０の係止突起３２の自由端側の端面は、取付基部３１に対して直交する平面になっており、係止突起３２の平面の反対側の外面は滑らかな曲面になっている。筐体１２にガイド板２０が取り付けられていない状態で、筐体１２にストッパ３０を取り付けると、係止突起３２は雌コネクタ挿入口１４の内部に突出する。この後に筐体１２にガイド板２０を取り付ける場合は、ストッパ３０の取付基部３１を湾曲させ、係止突起３２を雌コネクタ挿入口１４の外側に移動させた状態で行う。
【００２０】
図３（ａ）は、図２に示した雄コネクタ１０を組み立てた状態を示すものであり、図３（ｂ）は図３（ａ）の縦断面を示している。雄コネクタ１０が組み立てられた状態では、ガイド板２０が、ピン１３の先端部をピン挿通孔２３内に位置させた状態で、筐体１２の雌コネクタ挿入口１４の部分に位置している。側壁２２は、雌コネクタ挿入口１４の外側に突出している。この状態では、バネ１１は伸び切った状態であり、ストッパ３０の取付基部３１が湾曲して、係止突起３２の曲面が側壁２２に乗り上げている。すなわち、側壁２２は、ストッパ３０の係止突起３２の雌コネクタ挿入口１４内への進入を防ぐ係止解除部材として機能する。従って、側壁２２の代わりに、ストッパ３０の位置に対応するガイド板２０の部位のみに、ストッパ３０の係止突起３２の雌コネクタ挿入口１４内への進入を防ぐ係止解除部材を部分的にガイド部材２０に設けても良い。
【００２１】
図４は、開示の雄コネクタ１０における、ストッパ３０の設置位置の別の実施例を示す透視斜視図であり、ピンの図示は省略してある。また、図４にはストッパ３０の取付位置だけを示してあり、ストッパ３０の具体的な構造については図示していない。第１の実施例では、ストッパ３０は、筐体１２の短い方の外周面の対向位置に設けられていたが、図４に示す実施例では、ストッパ３０は、筐体１２の長い方の外周面の対向位置に設けられている。ストッパ３０には、第１の実施例において説明したストッパ３０と同じ構造のストッパ３０を使用することができる。このように、ストッパ３０の設置位置は、筐体１２の外周面であれば、その位置は特に限定されない。
【００２２】
図５は、開示の雄コネクタ１０に雌コネクタ４を備えるカード５が挿抜される時の、雄コネクタ１０の通常時の動作を示すものである。図５（ａ）に示すように、雄コネクタ１０に対して、雌コネクタ４を備えるカード５は、ガイド板２０の側壁２２にまず挿入され、矢印で示すように、側壁２２の内部を移動してガイド板２０に達する。ガイド板２０に達したカード５は、ガイド板２０を押しながら雄コネクタ１０に接続される。ガイド板２０のピン挿通孔２３により、ピン１３に対して雌コネクタ４が真っ直ぐに平行に挿入されるように導かれる。すなわち、ガイド板２０が雌コネクタ４の挿入ガイドとなる。雌コネクタ４を備えるカード５が雄コネクタ１０に接続される過程で、最初はガイド板２０の側壁２２の上にあったストッパ３０の係止突起３２は、カード５の側面の上に移動する。
【００２３】
図５（ｂ）は、雄コネクタ１０にカード５が接続された状態を示す断面図である。雄コネクタ１０に雌コネクタ４を備えるカード５が完全に接続されると、ガイド板２０はカード５の先端部に押されて筐体１２の底面側に移動し、バネ１１がガイド板２０で圧縮された状態になる。雄コネクタ１０に雌コネクタ４が完全に接続された状態では、ガイド板２０と雄コネクタ１０の筐体１２の底面との間にはスペースがあり、バネ１１は圧縮状態でこのスペースに収容される大きさになっている。雄コネクタ１０に雌コネクタ４が完全に接続された状態では、ストッパ３０の係止突起３２は、カード５の側面の上に位置している。
【００２４】
図５（ｃ）は、雄コネクタ１０からカード５が抜去される時の雄コネクタ１０の状態を示す断面図である。雄コネクタ１０へのカード５の接続が問題なく行われた場合は、雄コネクタ１０からカード５が抜去される時に、バネ１１の付勢力によってガイド板２０がカード５の移動に追従して移動する。そして、雄コネクタ１０からカード５が完全に抜去された状態では、ガイド板２０は、図３（ｂ）に示した位置、すなわち、雌コネクタ挿入口１４の位置まで復帰する。この時、ストッパ３０の係止突起３２は、カード５の側面からガイド板２０の側壁２２の上に移動している。よって、この雄コネクタ１０には、再び雌コネクタ４を備えるカード５を接続することができる。
【００２５】
図６は、開示の雄コネクタ１０に雌コネクタ４を備えるカード５が挿抜される時に、雄コネクタ１０のピン１３に座屈が生じた異常時の動作を示すものである。図６（ａ）に示すように、雄コネクタ１０に対して、雌コネクタ４を備えるカード５は、ガイド板２０の側壁２２に挿入されてガイド板２０に当接し、矢印で示すように、ガイド板２０を押しながら雄コネクタ１０に接続される。雌コネクタ４を備えるカード５が雄コネクタ１０に接続される過程で、最初はガイド板２０の側壁２２の上にあったストッパ３０の係止突起３２は、カード５の側面の上に移動する。
【００２６】
図６（ｂ）は、雄コネクタ１０にカード５が接続された時に、雄コネクタ１０のピン１３に座屈が発生した状態を示す断面図である。雄コネクタ１０にカード５が完全に接続されると、ガイド板２０はカード５の先端部に押されて筐体１２の底面側に移動し、バネ１１がガイド板２０で圧縮される。ストッパ３０の係止突起３２は、カード５の側壁の上に位置している。ピン１３の座屈は、符号Ｚで示す位置に発生し、ガイド板２０の雌コネクタ挿入口１４側で発生しているものとする。なお、ピン１３の座屈は、雌コネクタ４のピン挿入口（図示せず）が打痕等でつぶれている等の事象により発生することが多い。
【００２７】
図６（ｃ）は、図６（ｂ）に示した状態の雄コネクタ１０からカード５が抜去された時の雄コネクタ１０の状態を示す断面図である。雄コネクタ１０へのカード５の接続時にピン１３に座屈が発生した場合は、雄コネクタ１０からカード５が抜去された時に、バネ１１の付勢力によってガイド板２０がカード５の移動に追従して移動しようとしても、その移動がピン１３の座屈部によって阻止される。そして、雄コネクタ１０からカード５が完全に抜去された状態では、ガイド板２０は、図６（ｂ）に示した位置、すなわち、雄コネクタ１０の底面側に留まる。
【００２８】
ガイド板２０が、雄コネクタ１０の底面側に留まった状態で、雄コネクタ１０からカード５が完全に抜去された場合は、ストッパ３０の係止突起３２は、カード５の側面との係合が無くなった時点で、雌コネクタ挿入口１４内に突出する。ストッパ３０の係止突起３２が雌コネクタ挿入口１４内に突出すると、雌コネクタ挿入口１４の中にはストッパ３０の係止突起３２の平面が位置することになる。この結果、雌コネクタ挿入口１４に、雌コネクタ４を備えるカード５が再び挿入できなくなり、これ以上の雄コネクタ１０の破損及び雄コネクタ１０の破損による雌コネクタ４の破損が防止される。更に、雄コネクタ１０にカード５が挿入できないことから作業者が雄コネクタ１０の破損を知ることができ、修理を行うことによりコネクタ故障の拡大を抑制することができる。
【００２９】
図７（ａ）は、ストッパ３０の別の実施例の構造を示す断面図である。本実施例のストッパ３０は、筐体１２の側面に設けられた回転軸３３を中心に回動するシーソー状のレバー３４を備えており、レバー３４の筐体１２の底面側の一端には、バネ１１に係合してバネ１１の伸縮動作でレバー３４を回動させる駆動突起３５が設けられている。駆動突起３５はストッパ３０の拡大図に示すようにテーパ状の突起であり、コイル状のバネ１１の一部に係合している。バネ１１が収縮すると、駆動突起３５はテーパ面により筐体１２の底面側に移動するので、レバー３４が回転軸３３を中心にして回転して、レバー３４の他端に設けられている係止部材３６を筐体１２側に近づける。
【００３０】
係止部材３６は、図７（ｂ）に示すように、筒体３６Ｃと、筒体３６Ｃ内に収納されるバネ３６Ｂと、一端がバネ３６Ｂに接続され、他端が筒体３６Ｃから突出する移動体３６Ｍとを備えている。移動体３６Ｍは、筐体１２の内部でバネ１１が収縮した時に、レバー３４の回転により、筒体３６Ｃ内から突出する部分が、雌コネクタ挿入口１４内に突出する。雌コネクタ挿入口１４の内部に何もない時には、移動体３６Ｍの雌コネクタ挿入口１４内に突出した部分で、雌コネクタ挿入口１４内へのカードの挿入が防止される。一方、雌コネクタ挿入口１４内にカードが挿入されている場合は、レバー３４が回転した時に、移動体３６Ｍの筒体３６Ｃ内から突出する部分がカードに当接するが、バネ３６Ｂの収縮により、移動体３６Ｍの突出部は筒体３６Ｃ内に没入する。
【００３１】
また、駆動突起３５は、バネ１１の伸長時には、レバー３４の他端を筐体１２から遠ざかる側に回転させて、他端に突設された係止部材３６を雌コネクタ挿入口１４の外側に移動させる。この結果、移動体３６Ｍの筒体３６Ｃ内から突出する部分は、雌コネクタ挿入口１４内に位置しなくなる。このように、図７に示したストッパ３０の別の実施例も、前述の第１の実施例のストッパ３０と同様の動作を行うことができる。
【００３２】
図８（ａ）は、ストッパ３０の更に別の実施例の構造を示す断面図である。本実施例のストッパ３０は、雌コネクタ挿入口１４の近傍の筐体１２の側面から前方に突出するアーム３８とアーム３８の回動機構３９とを備えている。回動機構３９はアーム３８の回転軸３８Ａを回転させるものであり、一端がガイド板２０に接続されているワイヤ状の連絡部材３９Ｗと、連絡部材３９Ｗの方向を変えるローラ３９Ｒを備えている。回動機構３９は、図８（ｂ）及び（ｄ）に内部構造を示すように、そのハウジング３９Ｈの内部に、アーム３８の回転軸３８Ａと、連絡部材３９Ｗを回転軸３８Ａに導くプーリ３９Ｐを備える。
【００３３】
回転軸３８Ａは、アーム３８が取り付けられた大径部３８Ａ１と、渦巻バネ３７が取り付けられた小径部３９Ａ２とを備える。渦巻バネ３７は小径部３９Ａ１に巻き付けられており、その一端が大径部３９Ａ２に取り付けられ、他端がハウジング３９Ｈに取り付けられて、アーム３８が雌コネクタ挿入口１４に近づく方向に回転軸３８Ａを付勢する。連絡部材３９Ｗの他端は大径部３８Ａ２のアーム３８の基部の近傍に接続されている。連絡部材３９Ｗは、大径部３８Ａ２の外周の一部を周回した後にプーリ３９Ｐを経てハウジング３９Ｈの外に取り出され、ローラ３９Ｒで方向を変えられて、図８（ａ）に示すように、ガイド板２０に接続している。
【００３４】
ガイド板２０が筐体１２の雌コネクタ挿入口１４側に位置する時には、連絡部材３９Ｗは伸び切った状態であり、この状態では、アーム３８はガイド板２０の側壁２２に平行になっている。雄コネクタ１０の側壁２２内に雌コネクタを備えたカード５が接続されてガイド板２０に当接し、ガイド板２０が筐体１２の底面側に移動すると、連絡部材３９Ｗは矢印Ｐで示す方向に移動する。連絡部材３９Ｗが矢印Ｐで示す方向に移動すると、移動に伴って渦巻バネ３７の付勢力でアーム３８は矢印Ｒで示す方向に回転する。
【００３５】
カード５がガイド板２０を押してガイド板２０が筐体１２の底面側に移動し終えた状態では、図８（ｃ）に示すように、雌コネクタ挿入口１４にはカード５があるので、アーム３８の先端部はカード５に当接する。アーム３８の先端部がカード５に当接すると、アーム３８はそれ以上回転できず、大径部３９Ａ２の回転が止まる。この結果、連絡部材３９Ｗが弛む。連絡部材３９Ｗが弛んでも、連絡部材３９Ｗが大径部３８Ａ２やプーリ３９Ｐから外れないように、大径部３８Ａ２及びプーリ３９Ｐの幅は、図８（ｄ）に示すように広くなっている。図示はしないが、ローラの幅も広く形成されている。
【００３６】
そして、カード５が抜かれ、雄コネクタ１０のピンに異常がなければ、ガイド部材２０の移動によって連絡部材３９Ｗが矢印Ｑで示す方向に戻り、アーム３８は図８（ｂ）に示した状態に戻る。ところが、雄コネクタ１０のピンに異常が生じて、カード５が抜かれてもガイド部材２０が筐体１２の底面側に留まったままの状態では、移連絡部材３９Ｗが矢印Ｑで示す方向に戻らない。一方、図８（ｃ）に示したカード５が雌コネクタ挿入口１４から無くなるので、渦巻ばね３７の付勢力で大径部３８Ａ２が弛んだ連絡部材３９Ｗを伸ばしながら回転し、図８（ｅ）に示すように、アーム３８が雌コネクタ挿入口１４を塞ぐ位置まで回転する。この結果、以後はアーム３８の雌コネクタ挿入口１４内への突出により、カードが挿入できない状態になる。このように、図８に示したストッパ３０の更に別の実施例も、前述の第１の実施例のストッパ３０と同様の動作を行うことができる。
【００３７】
図９（ａ）は、開示の第２の実施例の雄コネクタ１０Ａの断面図であり、図９（ｂ）は図９（ａ）に示した雄コネクタ１０Ａの透視斜視図である。第２の実施例では、雄コネクタ１０Ａの筐体１２の内部に、雄コネクタ１０Ａに挿抜される雌コネクタ４の挿抜動作に合わせて往復動可能な第１のガイド板２１と第２のガイド板２０とが設けられている。第１のガイド板２１と第２のガイド板２０には、それぞれ雄コネクタ１０の筐体１２内に突設された複数のピン１３を挿通するピン挿通孔２３が設けられている。
【００３８】
第１のガイド板２１は、筐体１２の底面側に位置しており、第２のガイド板２０は、第１の実施例におけるガイド板２０と同じ位置にある。よって、第２の実施例の第２のガイド板２０には、第１の実施例のガイド板２０と同じ符号を付して説明する。第２の実施例の雄コネクタ１０Ａには、第１のバネ１１Ａと第２のバネ１１Ｂが設けられている。第１のバネ１１Ａは、筐体１２の底面側に位置する第１のガイド板２１と筐体１２の底面との間に設けられており、第２のバネ１１Ｂは、第１のガイド板２１と第２のガイド板２０の間に設けられている。第１のバネ１１Ａと第２のバネ１１Ｂにより、雌コネクタ４が雄コネクタ１０Ａに挿入されていない状態では、第２のガイド板２０が筐体１２の雌コネクタ挿入口１４に位置している。また、第１のガイド板１２は、図９（ｃ）に示すように、図５（ｂ）に示した第１の実施例において、雄コネクタ１０にカード５が挿入されて接続された状態の、筐体１２とガイド板２０の間の空間に位置している。
【００３９】
第２の実施例の雄コネクタ１０Ａにも、筐体１２の雌コネクタ挿入口１４の近傍にストッパ３０が設けられているが、第２の実施例の雄コネクタ１０Ａにおけるストッパ３０には、第１の実施例の雄コネクタ１０のストッパ３０と同じものが使用できる。よって、第２の実施例の雄コネクタ１０Ａにおけるストッパ３０についてはその説明を省略する。
【００４０】
第２の実施例の雄コネクタ１０Ａが第１の実施例の雄コネクタ１０と相違する点は、ガイド板２０（第２のガイド板２０）の筐体の底面側でピン１３に座屈が発生した場合にも、雌コネクタを備えるカードの挿入を阻止できる点である。第１の実施例の雄コネクタ１０では、雄コネクタ１０にカード５を挿入する場合、ガイド板２０と筐体１２の底面との間でピン１３に座屈が発生する事象が考えられる（この事象の発生確率は低い）。この場合、第１の実施例の雄コネクタ１０ではピン１３の座屈が、ガイド板２０の筐体１２の底面との間で発生しているので、座屈が生じてもカード５が抜去されると、ガイド板２０は雌コネクタ挿入口１４まで戻ってしまう。
【００４１】
一方、第２の実施例の雄コネクタ１０Ａにおいて、雄コネクタ１０にカード５を挿入した場合、ガイド板２０と筐体１２の底面との間でピン１３に座屈が発生しても、この座屈は図９（ｄ）に示すように、第１のガイド板２１とガイド板２０の間で発生する。図９（ｄ）には発生した座屈を符号Ｚで示してある。この場合、第２の実施例の雄コネクタ１０Ａではピン１３の座屈Ｚが、第１のガイド板２１とガイド板２０の間で発生しているので、座屈Ｚにより第１のガイド板２１が雌コネクタ挿入口１４側まで戻れない。この結果、第１のガイド板２１にバネ１１Ｂで接続するガイド板２０も雌コネクタ挿入口１４側まで戻れず、カード５が抜去されるとストッパ３０の係止突起３２が雌コネクタ挿入口１４に突出し、再びカードが挿入できなくなる。
【００４２】
図１０は、第１及び第２の実施例のコネクタに装着するカードの別の例を示す断面図である。本実施例では、カード５の雌コネクタ４が設けられている側の反対側の後端部に、ストッパ３０の係止突起３２を没入させる凹部５Ｒが設けられている。カード５の後端部に係止突起３２と同形状の凹部５Ｒがあると、雄コネクタ１０に雌コネクタ４を備えるカード５が接続された時に、係止突起３２がカード５の側面に突出せず、見栄えが向上する。
【００４３】
以上、本出願を特にその好ましい実施の形態を参照して詳細に説明した。本出願の容易な理解のために、本出願の具体的な形態を以下に付記する。
【００４４】
（付記１）  雄コネクタの筐体の内部を、前記雄コネクタに挿抜される雌コネクタの動作に合わせて往復動可能なガイド板と、
前記ガイド板を前記筐体の底面側から付勢し、前記雌コネクタの非挿入状態で前記ガイド板を前記筐体の雌コネクタ挿入口に位置させる弾性部材と、
前記雌コネクタ挿入口の近傍に設けられ、前記ガイド板が前記雌コネクタ挿入口に位置する時に前記雌コネクタ挿入口の脇に位置し、前記雌コネクタが前記雄コネクタから抜去された状態で前記ガイド板が前記雌コネクタ挿入口に戻らない時に、前記雌コネクタ挿入口内に入り込むストッパを備えるコネクタ。
（付記２）  前記雄コネクタの前記筐体内には複数のピンが突設されており、前記ガイド板には、前記ピンを挿通する孔が設けられており、
前記ガイド板は、前記雌コネクタの結合時に、前記筐体の底面側に移動することを特徴とする付記１に記載のコネクタ。
（付記３）  前記ストッパは、前記雌コネクタが前記雄コネクタから抜去された時に、前記弾性部材によって前記雌コネクタ挿入口に戻る前記ガイド板によって、前記雌コネクタ挿入口の外側の位置まで移動することを特徴とする付記１または２に記載のコネクタ。
（付記４）  前記ストッパは、前記筐体への取付基部が可撓性を備える部材で形成されており、自由端部は前記雌コネクタ挿入口側に突出する係止突起を備えており、
前記ガイド板の、前記筐体の底面に対して反対側の面には係止解除部材が突設されており、
前記ガイド板は、前記筐体の底面側から前記雌コネクタ挿入口側に移動する際に、前記係止解除部材が前記係止突起を前記雌コネクタ挿入口の外側に押し出すことを特徴とする付記３に記載のコネクタ。
（付記５）  前記係止解除部材は、前記ガイド板の縁部に設けられた環状壁であることを特徴とする付記４に記載のコネクタ。
【００４５】
（付記６）  前記弾性部材はコイルバネであり、前記筐体の底面の四隅に配置されることを特徴とする付記１から５の何れかに記載のコネクタ。
（付記７）  前記ストッパは、前記筐体の対向する外周面にそれぞれ取り付けられていることを特徴とする付記１から６の何れかに記載のコネクタ。
（付記８）  前記ストッパは、前記筐体の側面に設けられた回転軸を中心に回動するレバーを備え、
前記レバーの前記筐体の底面側の一端には、前記弾性部材に係合して前記弾性部材の伸縮動作で前記レバーを回動させる駆動突起が設けられ、
前記駆動突起は、前記弾性部材の収縮時には、前記レバーの一端を前記筐体に近づく側に回転させて、前記レバーの他端に突設された係止部材を前記雌コネクタ挿入口内に突出させ、前記弾性部材の伸長時には、前記レバーの他端を前記筐体から遠ざかる側に回転させて、前記他端に突設された係止部材を前記雌コネクタ挿入口の外側に移動させることを特徴とする付記３に記載のコネクタ。
（付記９）  前記係止部材は、筒体と、前記筒体内に収納されるバネと、一端が前記バネに接続され他端が前記筒体から突出する移動体とを備え、
前記移動体は、前記弾性部材の収縮時に、前記筒体内から突出する部分が前記雌コネクタ挿入口内に突出し、前記筒体内から突出する部分が物体に当接した時には前記筒体内に没入することを特徴とする付記８に記載のコネクタ。
（付記１０）  前記ストッパは、前記筐体の側面の前記雌コネクタ挿入口の近傍に設けられたアームとその回動機構を備え、
前記回動機構は、前記アームの回転軸に一端が取り付けられた渦巻バネと、一端が前記渦巻バネの他端に接続し、前記筐体の側面を通り、前記筐体の底面を貫通して他端が前記ガイド板に接続する連絡部材を備え、
前記ガイド板が前記雌コネクタ挿入口の位置にある時には、前記連絡部材により前記渦巻バネを伸び切った状態にして、前記アームを前記雌コネクタ挿入口の外側に位置するように保持し、前記ガイド板が前記筐体の底面側に位置する時には、前記連絡部材により前記渦巻バネを縮めて前記アームを前記雌コネクタ挿入口内に突出させ、前記アームの突出時に前記アームが物体に当接した時には前記渦巻バネが伸びて前記アームが物体に当接した状態を保持することを特徴とする付記３に記載のコネクタ。
【００４６】
（付記１１）  雄コネクタの筐体の内部を、前記雄コネクタに挿抜される雌コネクタの動作に合わせて往復動可能な第１のガイド板及び第２のガイド板と、
前記筐体の底面側に位置する前記第１のガイド板を、前記筐体の底面側から付勢する第１の弾性部材と、
前記第１のガイド板と前記第２のガイド板の間を大きくする方向に付勢し、前記雌コネクタの非挿入状態で前記第２のガイド板を前記筐体の雌コネクタ挿入口に位置させる第２の弾性部材と、
前記雌コネクタ挿入口の近傍に設けられ、前記第２のガイド板が前記雌コネクタ挿入口に位置する時に前記雌コネクタ挿入口の脇に位置し、前記雌コネクタが前記雄コネクタから抜去された状態で前記第２のガイド板が前記雌コネクタ挿入口に戻らない時に、前記雌コネクタ挿入口内に入り込むストッパを備えるコネクタ。
（付記１２）  前記雄コネクタの前記筐体内には複数のピンが突設されており、前記第１のガイド板と前記第２のガイド板には、前記ピンを挿通する孔が設けられており、
前記第１のガイド板と前記第２のガイド板は、前記雌コネクタの結合時に、前記筐体の底面側に移動することを特徴とする付記１１に記載のコネクタ。
（付記１３）  前記ストッパは、前記雌コネクタが前記雄コネクタから抜去された時に、前記第１の弾性部材と前記第２の弾性部材によって前記雌コネクタ挿入口に戻る前記第２のガイド板によって、前記雌コネクタ挿入口の外側の位置まで移動することを特徴とする付記１１または１２に記載のコネクタ。
（付記１４）  前記ストッパは、前記筐体への取付基部が可撓性を備える部材で形成されており、自由端部は前記雌コネクタ挿入口側に突出する係止突起を備えており、
前記第２のガイド板の、前記筐体に対して反対側の面には係止解除部材が突設されており、
前記第２のガイド板は、前記筐体の底面側から前記雌コネクタ挿入口側に移動する際に、前記係止解除部材が前記係止突起を前記雌コネクタ挿入口の外側に押し出すことを特徴とする付記１３に記載のコネクタ。
（付記１５）  前記係止解除部材は、前記第２のガイド板の縁部に設けられた環状壁であることを特徴とする付記４に記載のコネクタ。
【符号の説明】
【００４７】
４    雌コネクタ
５    電子ユニット
１０，１０Ａ    雄コネクタ
１１，１１Ａ，１１Ｂ    バネ
１２    筐体
１３    ピン
１４    雌コネクタ挿入口
２０，２１    ガイド板
２２    係止解除部材（側壁）
２３    ピン挿通孔
３０    ストッパ
３２    係止突起
３８    アーム
３９    駆動機構
【図１】
2017228494.tif 000003
【図２】
2017228494.tif 000004
【図３】
2017228494.tif 000005
【図４】
2017228494.tif 000006
【図５】
2017228494.tif 000007
【図６】
2017228494.tif 000008
【図７】
2017228494.tif 000009
【図８】
2017228494.tif 000010
【図９】
2017228494.tif 000011
【図１０】
2017228494.tif 000012